(57)【要約】【課題】計量キャップが大型化することを抑制しつつ、液体の計量値を変更可能にすることを可能にする。【解決手段】容器本体１１の口部１１０に装着される第１キャップ本体１３０と、第１キャップ本体１３０に接続される第２キャップ本体１４０とを備え、第２キャップ本体１４０は、第１キャップ本体１３０の第１周壁部１３２に嵌合され第１周壁部１３２に対して摺動可能な第２周壁部１４１と、第１キャップ本体１３０の第１筒状部１３３に嵌合され第１筒状部１３３に対して第２周壁部１４１と連動して摺動可能な第２筒状部１４２とを有し、容器本体１１の内部から第１筒状部１３３及び第２筒状部１４２を介して供給される液体８を貯留して計量する計量空間５が、底壁部１３１と、第１周壁部１３２及び第２周壁部１４１の少なくとも一方と、第１筒状部１３３及び第２筒状部１４２の少なくとも一方とによって画成される、計量キャップ１３。【選択図】図５
2020029285.tif 000002
【特許請求の範囲】
【請求項１】
容器本体の内部に収容されている液体を計量可能な計量キャップであって、
前記容器本体の口部に装着される第１キャップ本体と、
前記第１キャップ本体に接続される第２キャップ本体と、
を備え、
前記第１キャップ本体は、
前記容器本体の口部の開口を覆う底壁部と、
前記底壁部の周縁部に沿って前記底壁部から前記容器本体と逆側に向けて突設される第１周壁部と、
前記底壁部から前記容器本体と逆側に向けて突設され、前記容器本体の内部と前記底壁部に対して前記容器本体と逆側の空間とを連通する第１筒状部と、
を有し、
前記第２キャップ本体は、
前記第１周壁部に嵌合され、前記第１周壁部に対して摺動可能な第２周壁部と、
前記第１筒状部に嵌合され、前記第１筒状部に対して前記第２周壁部と連動して摺動可能な第２筒状部と、
を有し、
前記容器本体の内部から前記第１筒状部及び前記第２筒状部を介して供給される前記液体を貯留して計量する計量空間が、前記底壁部と、前記第１周壁部及び前記第２周壁部の少なくとも一方と、前記第１筒状部及び前記第２筒状部の少なくとも一方とによって画成される、
計量キャップ。
【請求項２】
前記第２周壁部は、前記第１周壁部の内周部に嵌合されている、請求項１に記載の計量キャップ。
【請求項３】
前記第２筒状部は、前記第１筒状部の外周部に嵌合されている、請求項１又は２に記載の計量キャップ。
【請求項４】
前記第１周壁部及び前記第２周壁部の一方には、他方側に向けて係合凸部が設けられており、
前記第１周壁部及び前記第２周壁部の他方には、前記係合凸部と係合する係合凹部が設けられており、
前記係合凸部及び前記係合凹部が互いに係合することにより、前記第２周壁部の前記第１周壁部に対する摺動が制限される、請求項１〜３のいずれか一項に記載の計量キャップ。
【請求項５】
請求項１〜４のいずれか一項に記載の計量キャップと、
前記計量キャップが装着され、液体が収容されるスクイズ可能な容器本体と、
を備える、計量キャップ付き容器。
【発明の詳細な説明】
【技術分野】
【０００１】
本発明は、計量キャップに関する。
【背景技術】
【０００２】
従来、容器本体の内部に収容されている液体を計量可能な計量キャップが広く利用されている。具体的には、計量キャップは、容器本体の口部に装着され、容器本体の内部から供給される液体を貯留して計量する計量空間を有している。容器本体の内部と計量空間とは互いに連通されており、容器本体が指等により押圧される（つまり、スクイズされる）ことによって、容器本体の内部の液体が計量空間に貯留されるようになっている。
【０００３】
ここで、計量キャップとして、例えば特許文献１に開示されているように、計量キャップを用いて計量される液体の容積である計量値を変更可能にするものがある。具体的には、特許文献１に開示されている計量キャップ付き容器は、容器本体の内部から供給される液体を計量空間に向けて吐出する複数の吐出口を互いに異なる位置に設け、使用する吐出口を切り替え可能にすることによって、計量値を変更可能にするものである。
【先行技術文献】
【特許文献】
【０００４】
【特許文献１】特開２００２−０６８２５０号公報
【発明の概要】
【発明が解決しようとする課題】
【０００５】
しかしながら、例えば特許文献１に開示されている技術等の従来の技術では、液体の計量値を変更可能にすることに伴って、計量キャップが大型化してしまう場合がある。具体的には、計量される液体が貯留される計量空間は計量キャップの内部に形成されるので、従来の技術では、変更可能な計量値の上限値に応じて計量キャップ全体の寸法を設定する必要があった。ゆえに、変更可能な計量値の上限値を大きくするためには、計量キャップ全体を大型化する必要があった。
【０００６】
そこで、本発明は、計量キャップが大型化することを抑制しつつ、液体の計量値を変更可能にすることに関する。
【課題を解決するための手段】
【０００７】
上記課題を解決するために、本発明のある観点は、容器本体の内部に収容されている液体を計量可能な計量キャップであって、当該容器本体の口部に装着される第１キャップ本体と、当該第１キャップ本体に接続される第２キャップ本体と、を備え、当該第１キャップ本体は、当該容器本体の口部の開口を覆う底壁部と、当該底壁部の周縁部に沿って当該底壁部から当該容器本体と逆側に向けて突設される第１周壁部と、当該底壁部から当該容器本体と逆側に向けて突設され、当該容器本体の内部と当該底壁部に対して当該容器本体と逆側の空間とを連通する第１筒状部と、を有し、当該第２キャップ本体は、当該第１周壁部に嵌合され、当該第１周壁部に対して摺動可能な第２周壁部と、当該第１筒状部に嵌合され、当該第１筒状部に対して当該第２周壁部と連動して摺動可能な第２筒状部と、を有し、当該容器本体の内部から当該第１筒状部及び当該第２筒状部を介して供給される当該液体を貯留して計量する計量空間が、当該底壁部と、当該第１周壁部及び当該第２周壁部の少なくとも一方と、当該第１筒状部及び当該第２筒状部の少なくとも一方とによって画成される、計量キャップに関する。
【発明の効果】
【０００８】
以上説明したように本発明の計量キャップによれば、計量キャップが大型化することを抑制しつつ、液体の計量値を変更可能にすることができる。
【図面の簡単な説明】
【０００９】
【図１】本発明の実施形態に係る計量キャップ付き容器を示す側面端面図である。
【図２】同実施形態に係る計量キャップ付き容器を示す横断面図である。
【図３】係合凸部が最も下側の係合凹部と嵌合している場合における容器本体から計量空間への液体の吐出時の同実施形態に係る計量キャップ付き容器の様子を示す側面端面図である。
【図４】係合凸部が最も下側の係合凹部と嵌合している場合における液体の計量の完了時の同実施形態に係る計量キャップ付き容器の様子を示す側面端面図である。
【図５】係合凸部が最も上側の係合凹部と嵌合している場合における液体の計量の完了時の同実施形態に係る計量キャップ付き容器の様子を示す側面端面図である。
【発明を実施するための形態】
【００１０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１１】
本発明の実施形態は、計量キャップに関する。具体的には、本発明の一実施形態に係る計量キャップ１３は、容器本体の内部に収容されている液体を計量可能な計量キャップである。
【００１２】
＜計量キャップ付き容器の構成＞
まず、図１及び図２を参照して、本発明の実施形態に係る計量キャップ１３を備える計量キャップ付き容器１の構成について説明する。
【００１３】
図１は、計量キャップ付き容器１を示す側面端面図である。図２は、計量キャップ付き容器１を示す横断面図である。
【００１４】
なお、本明細書では、理解を容易にするために、容器本体１１から計量キャップ１３に向かう方向を上方向と呼ぶ。ここで、計量キャップ付き容器１はユーザに利用される際に種々の姿勢を取り得るので、下記の説明で用いる上方向は必ずしも鉛直上方向を意味するものではない。なお、図１、図３、図４及び図５では、計量キャップ１３が容器本体１１に対して鉛直上方に位置する姿勢で計量キャップ付き容器１が示されている。一方、上方向とは逆向き方向を下方向と呼ぶ。つまり、図１、図３、図４及び図５の計量キャップ付き容器１において、計量キャップ１３側が上方向であり、容器本体１１側が下方向である。
【００１５】
図１に示すように、計量キャップ付き容器１は、容器本体１１と、計量キャップ１３とを備える。
【００１６】
容器本体１１は、口部１１０を有する中空形状の部材であり、容器本体１１の内部には、液体８が収容される。液体８としては、種々の液体が適用され得るが、例えば、液体洗剤（衣料用等）、柔軟剤、漂白剤、入浴剤、シャンプー液、リンス液、化粧液、薬剤又は調味料等が適用される。口部１１０は、容器本体１１の上端部に設けられており、当該口部１１０に計量キャップ１３が装着されている。
【００１７】
また、容器本体１１は、スクイズ可能な容器本体である。具体的には、容器本体１１は、指等により押圧された後（つまり、スクイズされた後）、押圧力が開放されると、弾性により元の形状に復帰する。後述するように、計量キャップ付き容器１では、容器本体１１がスクイズされることによって、液体８の計量が行われる。なお、容器本体１１の材質は特に限定されず、例えば、樹脂製であってもよく、樹脂以外の他の材料によって形成されてもよい。容器本体１１として用いられる樹脂は、例えば、ポリエチレン又はポリプロピレン等の樹脂であることが好ましい。
【００１８】
計量キャップ１３は、容器本体１１の内部に収容されている液体８を計量可能な計量キャップである。
【００１９】
計量キャップ１３は、具体的には、図１に示すように、容器本体１１に装着される第１キャップ本体１３０と、第１キャップ本体１３０に接続される第２キャップ本体１４０と、を備える。さらに、計量キャップ１３は、第２キャップ本体１４０に接続される天壁部材１６０と、計量キャップ１３の注出口１６１ａを覆う蓋体１５０を備える。また、計量キャップ１３では、容器本体１１の内部から供給される液体８を貯留して計量する計量空間５が第１キャップ本体１３０及び第２キャップ本体１４０によって形成されている。
【００２０】
第１キャップ本体１３０は、図１に示すように、底壁部１３１と、第１周壁部１３２と、第１筒状部１３３とを有する。さらに、第１キャップ本体１３０は、浸漬管用筒状部１３４と、取付部１３５とを有する。
【００２１】
具体的には、第１キャップ本体１３０における底壁部１３１、第１周壁部１３２、第１筒状部１３３、浸漬管用筒状部１３４及び取付部１３５は同一の部材によって形成されている。なお、第１キャップ本体１３０の材質は特に限定されず、例えば、樹脂以外の他の材料によって形成されてもよく、樹脂製であることが好ましい。第１キャップ本体１３０として用いられる樹脂は、例えば、ポリエチレン、ポリプロピレン、ポリエチレンテレフタレート又はＡＢＳ樹脂等の樹脂であることが好ましい。
【００２２】
底壁部１３１は、容器本体１１の口部１１０の開口を覆う。具体的には、底壁部１３１は、容器本体１１の口部１１０の開口に沿って延在し、略円板形状を有する。
【００２３】
第１周壁部１３２は、底壁部１３１の周縁部に沿って底壁部１３１から容器本体１１と逆側に向けて突設される。具体的には、第１周壁部１３２は、略円筒形状を有しており、上端に開口を有している。後述するように、本実施形態では、第１周壁部１３２の内周部に第２キャップ本体１４０の第２周壁部１４１が嵌合されており、第１周壁部１３２の内周部には、第２周壁部１４１の係合凸部１４１ａと係合する係合凹部１３２ａが設けられている。係合凹部１３２ａは、後述するように、第２周壁部１４１の第１周壁部１３２に対する摺動を制限するために設けられている。
【００２４】
取付部１３５は、底壁部１３１の周縁部から容器本体１１側に向けて突設され、容器本体１１に取り付けられる。具体的には、取付部１３５は、略円筒形状を有しており、下端に開口を有している。そして、取付部１３５の内周部及び容器本体１１の口部１１０の外周部にはそれぞれメネジ部及びオネジ部が形成されており、取付部１３５は、容器本体１１の口部１１０に螺合されることにより取り付けられる。それにより、第１キャップ本体１３０が容器本体１１に装着される。なお、取付部１３５は、例えば、容器本体１１の口部１１０に圧入されることにより取り付けられてもよい。
【００２５】
第１筒状部１３３は、底壁部１３１から容器本体１１と逆側に向けて突設され、容器本体１１の内部と底壁部１３１に対して容器本体１１と逆側の空間とを連通する。具体的には、第１筒状部１３３は、略円筒形状を有しており、第１周壁部１３２の内側において第１周壁部１３２と同軸上に配置される。第１筒状部１３３の先端（つまり、上端）には、開口が形成されている。
【００２６】
浸漬管用筒状部１３４は、底壁部１３１から容器本体１１側に向けて突設され、容器本体１１の内部の液体８に浸漬される浸漬管９が取り付けられる部分である。具体的には、浸漬管用筒状部１３４は、略円筒形状を有しており、取付部１３５の内側において取付部１３５と同軸上に配置される。また、浸漬管用筒状部１３４は、第１筒状部１３３と同軸上に配置されており、浸漬管用筒状部１３４の内部空間は、第１筒状部１３３の内部空間と接続されている。浸漬管用筒状部１３４の先端（つまり、下端）には、開口が形成されており、浸漬管９の上端部が浸漬管用筒状部１３４の先端の開口から挿通されて浸漬管用筒状部１３４に取り付けられる。
【００２７】
第２キャップ本体１４０は、図１に示すように、第２周壁部１４１と、第２筒状部１４２とを有する。
【００２８】
具体的には、第２キャップ本体１４０における第２周壁部１４１及び第２筒状部１４２は同一の部材によって形成されている。なお、第２キャップ本体１４０の材質は特に限定されず、例えば、樹脂製であることが好ましい。
【００２９】
第２周壁部１４１は、第１キャップ本体１３０の第１周壁部１３２に嵌合され、第１周壁部１３２に対して摺動可能となっている。本実施形態では、第２周壁部１４１は、第１周壁部１３２の内周部に嵌合されている。後述するように、計量時に液体８が計量キャップ１３から漏出することを抑制する観点では、このように、第２周壁部１４１が第１周壁部１３２の内周部に嵌合されていることが好ましい。また、第２周壁部１４１は、第１周壁部１３２に対して第１周壁部１３２の軸方向に沿って摺動可能となっている。具体的には、第２周壁部１４１は、略円筒形状を有しており、両端に開口を有している。
【００３０】
また、第２周壁部１４１には、第１周壁部１３２側（つまり、外周側）に向けて係合凸部１４１ａが設けられている。具体的には、本実施形態では、第２周壁部１４１の下部の周方向の一部に１つの係合凸部１４１ａが設けられている。第２周壁部１４１の係合凸部１４１ａ及び第１周壁部１３２の係合凹部１３２ａが互いに係合することにより、第２周壁部１４１の第１周壁部１３２に対する上下方向の摺動が制限される。それにより、第２キャップ本体１４０の第１キャップ本体１３０に対する上下方向の相対位置を適切に位置決めすることができる。なお、係合凹部１３２ａと係合している係合凸部１４１ａを当該係合凹部１３２ａから外す、又は、上下方向に係合凹部１３２ａを超えて係合凸部１４１ａを移動させることによって、第２周壁部１４１を第１周壁部１３２に対して上下方向に摺動させることができるようになっている。このような第２周壁部１４１の第１周壁部１３２に対する上下方向の摺動は、具体的には、係合凹部１３２ａの深さ及び係合凸部１４１ａの高さを適宜設定することによって実現される。
【００３１】
ここで、第１周壁部１３２の内周部には、具体的には、図１に示すように、複数の係合凹部１３２ａが第１周壁部１３２の軸方向（つまり、第２周壁部１４１の摺動方向）に間隔を空けて設けられている。図２には第１周壁部１３２の係合凹部１３２ａを通る計量キャップ付き容器１の横断面が示されており、係合凹部１３２ａは、図２に示すように、第１周壁部１３２の軸方向とは垂直に交差する方向に延びている。より具体的には、第１周壁部１３２の内周部には、３つの係合凹部１３２ａがそれぞれ第１周壁部１３２の周方向の一部に設けられている。ゆえに、係合凸部１４１ａと嵌合する係合凹部１３２ａを変更することによって、第２キャップ本体１４０の第１キャップ本体１３０に対する上下方向の相対位置を適切に変更することができる。
【００３２】
後述するように、計量キャップ１３における液体８の計量値を適切に変更する観点では、上記のように、計量キャップ１３には、第２周壁部１４１の第１周壁部１３２に対する上下方向の摺動を制限する係合凸部１４１ａ及び係合凹部１３２ａが設けられていることが好ましい。
【００３３】
なお、係合凹部１３２ａは、図２に示すように、第１周壁部１３２の周方向の一部に形成されていてもよく、第１周壁部１３２の周方向の全周に亘って形成されていてもよい。また、係合凸部１４１ａは、図２に示すように、第２周壁部１４１の周方向の一部に形成されていてもよく、第２周壁部１４１の周方向の全周に亘って形成されていてもよい。
【００３４】
また、係合凹部１３２ａ及び係合凸部１４１ａの双方がそれぞれ第１周壁部１３２及び第２周壁部１４１の周方向の一部に形成される場合、第１周壁部１３２及び第２周壁部１４１の間での上下方向の軸まわりの相対的な回転を制限する回転止め機構が計量キャップ１３に設けられることが好ましい。回転止め機構としては、例えば、図２に示すように、第２周壁部１４１の外周部に上下方向に沿って形成される溝部１４１ｂと、第１周壁部１３２の内周部に上下方向に沿って形成され当該溝部１４１ｂと係合する突出部１３２ｂとを備える機構が用いられる。
【００３５】
なお、図２では、２つの溝部１４１ｂが上下方向の軸を中心に回転対称な位置に設けられており、２つの突出部１３２ｂが上下方向の軸を中心に回転対称な位置に設けられている例が示されているが、溝部１４１ｂ及び突出部１３２ｂの数及び配置は特に限定されない。また、図２では、第２周壁部１４１の溝部１４１ｂに係合凸部１４１ａが設けられており、第１周壁部１３２の突出部１３２ｂに係合凹部１３２ａが設けられている例が示されているが、係合凸部１４１ａが第２周壁部１４１における溝部１４１ｂ以外の部分に設けられ、係合凹部１３２ａが第１周壁部１３２における突出部１３２ｂ以外の部分に設けられていてもよい。また、回転止め機構として、溝部が第１周壁部１３２側に形成され、当該溝部と係合する突出部が第２周壁部１４１側に形成される機構が用いられてもよい。
【００３６】
第２筒状部１４２は、第１キャップ本体１３０の第１筒状部１３３に嵌合され、第１筒状部１３３に対して第２周壁部１４１と連動して摺動可能となっている。本実施形態では、第２筒状部１４２は、第１筒状部１３３の外周部に嵌合されている。後述するように、スクイズ時に必要な押圧力が過度に大きくなることを抑制する観点では、このように、第２筒状部１４２が第１筒状部１３３の外周部に嵌合されていることが好ましい。また、第２筒状部１４２は、第１筒状部１３３に対して第１筒状部１３３の軸方向に沿って摺動可能となっている。
【００３７】
具体的には、第２筒状部１４２は、略円筒形状を有しており、第２周壁部１４１の内側において第２周壁部１４１と同軸上に配置される。また、第２筒状部１４２は、接続部１４３を介して第２周壁部１４１と接続されており、それにより、第２周壁部１４１と連動して摺動可能となっている。例えば、図２に示すように、棒形状を有する複数の接続部１４３が、第２筒状部１４２の外周部から第２周壁部１４１の内周部までに亘って互いに間隔を空けて延びて形成されている。接続部１４３の第２周壁部１４１及び第２筒状部１４２に対する位置は特に限定されないが、例えば、接続部１４３は、第２周壁部１４１の下部から第２筒状部１４２の下部までに亘って底壁部１３１と平行に延びている。なお、図２では、３つの接続部１４３が第２周壁部１４１及び第２筒状部１４２の周方向に等間隔に設けられている例が示されているが、接続部１４３の数及び配置は特に限定されない。
【００３８】
第２筒状部１４２には、液体８の吐出口１４２ａが形成されている。吐出口１４２ａは第２筒状部１４２の内部に供給された液体８を第２筒状部１４２の外側に吐出する開口である。具体的には、スクイズ時に、容器本体１１の内部の液体８は、浸漬管９を介して、第１筒状部１３３の内部に供給される。そして、液体８は、第１筒状部１３３の上端から第２筒状部１４２の内部に供給され、吐出口１４２ａから計量空間５に向けて吐出される。このように、容器本体１１の内部の液体８は、第１筒状部１３３及び第２筒状部１４２を介して計量空間５に供給される。
【００３９】
ここで、吐出口１４２ａは、図１に示すように、第２筒状部１４２の先端部における側部に形成されており、第２筒状部１４２の先端（つまり、上端）には、第２筒状部１４２の突設方向と交差する方向に延在する天板部１４２ｂが形成されている。例えば、第２筒状部１４２の先端部において、複数の吐出口１４２ａが当該第２筒状部１４２の周方向に間隔を空けて形成されている。後述するように、吐出口１４２ａから過度な勢いで液体８が吐出されることを抑制する観点では、このように、第２筒状部１４２に天板部１４２ｂが形成されていることが好ましい。
【００４０】
計量空間５は、底壁部１３１と、第１周壁部１３２及び第２周壁部１４１の少なくとも一方と、第１筒状部１３３及び第２筒状部１４２の少なくとも一方とによって画成される。
【００４１】
例えば、図１に示すように、第２周壁部１４１の係合凸部１４１ａが第１周壁部１３２の最も下側の係合凹部１３２ａと嵌合している場合、第２周壁部１４１及び第２筒状部１４２の下端部は底壁部１３１と接触している。ゆえに、この場合、計量空間５は、底壁部１３１の上部、第２周壁部１４１の内周部及び第２筒状部１４２の外周部によって画成される。また、例えば、後述する図５に示すように、第２周壁部１４１の係合凸部１４１ａが第１周壁部１３２の最も上側の係合凹部１３２ａと嵌合している場合、第２周壁部１４１及び第２筒状部１４２の下端部は底壁部１３１から離隔している。ゆえに、この場合、計量空間５は、底壁部１３１の上部、第１周壁部１３２の内周部、第２周壁部１４１の内周部、第１筒状部１３３の外周部及び第２筒状部１４２の外周部によって画成される。
【００４２】
このように、計量キャップ１３では、第２キャップ本体１４０の第１キャップ本体１３０に対する上下方向の相対位置に応じて、計量空間５の容積が変化するようになっている。
【００４３】
天壁部材１６０は、第２周壁部１４１の上端部と接続され、当該第２周壁部１４１の上側の開口を覆う。具体的には、天壁部材１６０は、第２周壁部１４１の上側の開口に沿って延在し、略円板形状を有する。天壁部材１６０の下面には当該天壁部材１６０の周縁部に沿って凹部が形成されており、当該凹部が第２周壁部１４１の上端部と嵌合することによって、第２周壁部１４１の上側の開口が覆われる。
【００４４】
天壁部材１６０には、容器本体１１と逆側に向けて突設され、計量空間５と天壁部材１６０に対して計量空間５と逆側の空間とを連通する注出口部１６１が設けられる。具体的には、注出口部１６１は、略円筒形状を有しており、天壁部材１６０の中央側から上方に向けて突設される。注出口部１６１の先端（つまり上端）の開口が、液体８の注出口１６１ａに相当する。
【００４５】
蓋体１５０は、天壁部材１６０の注出口１６１ａを覆う。具体的には、蓋体１５０は、一側（図１では上側）に底部を有する略円筒形状を有しており、ヒンジを介して天壁部材１６０と接続されており、天壁部材１６０に対して当該ヒンジを中心に回動可能となっている。蓋体１５０を回動させることによって、図１に示すように蓋体１５０が閉じた状態（つまり、注出口１６１ａが蓋体１５０により覆われた状態）と、後述する図３〜図５に示すように蓋体１５０が開いた状態（つまり、注出口１６１ａが露出された状態）とを遷移させることができる。なお、計量キャップ１３には、蓋体１５０が閉じた状態で蓋体１５０を天壁部材１６０に固定することにより当該状態を保持する図示しないロック機構が設けられている。このようなロック機構は、例えば、蓋体１５０における突出部１５３の近傍の部分と、当該部分と係合する天壁部材１６０の部分とを含む。
【００４６】
蓋体１５０は、具体的には、図１に示すように、第１嵌合部１５１と、第２嵌合部１５２と、突出部１５３とを備える。
【００４７】
第１嵌合部１５１は、第２筒状部１４２に嵌合され、吐出口１４２ａをシールする。具体的には、第１嵌合部１５１は、略円筒形状を有しており、蓋体１５０の底部の内面における中央側から突設される。また、第１嵌合部１５１は、蓋体１５０が閉じた状態において、第２筒状部１４２の先端部（つまり、上端部）の外周部に嵌合される。それにより、吐出口１４２ａが第１嵌合部１５１の内周部によりシールされる。
【００４８】
第２嵌合部１５２は、注出口部１６１に嵌合され、注出口１６１ａをシールする。具体的には、第２嵌合部１５２は、略円筒形状を有しており、蓋体１５０の底部の内面における第１嵌合部１５１より外周側から突設される。また、第２嵌合部１５２は、蓋体１５０が閉じた状態において、注出口部１６１の内周部に嵌合される。それにより、注出口１６１ａが第２嵌合部１５２の外周部によりシールされる。
【００４９】
突出部１５３は、蓋体１５０の外周部から突設され、ユーザが蓋体１５０を開く際にユーザの指等が掛けられる部分である。
【００５０】
＜計量キャップ付き容器の動作＞
続いて、図３〜図５を参照して、本発明の実施形態に係る計量キャップ付き容器１の動作について説明する。
【００５１】
まず、図３及び図４を参照して、計量キャップ１３を利用した液体８の計量について説明する。
【００５２】
図３及び図４では、第２周壁部１４１の係合凸部１４１ａが第１周壁部１３２の最も下側の係合凹部１３２ａと嵌合している場合における容器本体１１から計量空間５への液体８の吐出時及び液体８の計量の完了時における計量キャップ付き容器１の様子がそれぞれ示されている。
【００５３】
計量キャップ１３を利用した液体８の計量を行う際、まず、ユーザは、蓋体１５０を開き、計量キャップ付き容器１を計量キャップ１３が容器本体１１に対して鉛直上方に位置する姿勢にした状態で、容器本体１１のスクイズを開始する。それにより、図３に示すように、容器本体１１の内部の液体８が、浸漬管９、第１筒状部１３３及び第２筒状部１４２の内部を通過して、吐出口１４２ａから計量空間５に向けて吐出される。
【００５４】
計量空間５への液体８の吐出時には、第２筒状部１４２の内部に送られた液体８は、第２筒状部１４２の突設方向に沿って流動する。ここで、上述したように、吐出口１４２ａは、第２筒状部１４２の先端部における側部に形成されており、第２筒状部１４２の先端には、第２筒状部１４２の突設方向と交差する方向に延在する天板部１４２ｂが形成されている。それにより、第２筒状部１４２の内部に送られた液体８は、天板部１４２ｂに衝突した後、吐出口１４２ａから吐出される。よって、吐出口１４２ａから過度な勢いで液体８が吐出されることを抑制することができる。
【００５５】
その後、容器本体１１のスクイズが継続されることによって、計量空間５に貯留されている液体８の液面が上昇し、図４に示すように計量空間５に液体８が満たされると、ユーザはスクイズを終了する。それにより、吐出口１４２ａからの液体８の吐出は終了し、液体８の計量が完了する。そして、液体８の計量が完了した後、ユーザは、計量キャップ付き容器１を計量キャップ１３が容器本体１１に対して鉛直上方に位置する姿勢から傾ける。それにより、計量空間５に貯留されている液体８が、注出口１６１ａから注出される。
【００５６】
なお、第２周壁部１４１の内周部又は外周部には、計量空間５の上端を示す計量用の指示線が表示されていることが好ましい。それにより、ユーザは、計量空間５の範囲を視覚的に認識することができるので、スクイズを適切なタイミングで終了しやすくすることができる。また、指示線を視認しやすくする観点から、計量キャップ１３を形成する部材は透明又は半透明であることが好ましい。より詳細には、多様な容積で液体８を計量する観点では、第２周壁部１４１の内周部又は外周部における計量空間５の上端を示す指示線により下方に、１以上の目盛線が表示されていることがより好ましい。
【００５７】
ここで、計量キャップ１３では、上述したように、第２キャップ本体１４０を第１キャップ本体１３０に対して上下方向に摺動させることによって、計量空間５の容積を変更して計量値を変更することができる。このような計量空間５の容積の変更は、例えば、第２周壁部１４１の係合凸部１４１ａと係合する第１周壁部１３２の係合凹部１３２ａを変更することによって行われる。
【００５８】
例えば、係合凸部１４１ａが最も下側の係合凹部１３２ａと嵌合している状態（つまり、図３及び図４に示した状態）から係合凸部１４１ａが最も上側の係合凹部１３２ａと嵌合している状態（つまり、後述する図５に示した状態）になるように、第２キャップ本体１４０を第１キャップ本体１３０に対して上方向に摺動させることによって、計量空間５の容積を増大させて計量値を増大させることができる。
【００５９】
図５では、第２周壁部１４１の係合凸部１４１ａが第１周壁部１３２の最も上側の係合凹部１３２ａと嵌合している場合における液体８の計量の完了時における計量キャップ付き容器１の様子が示されている。
【００６０】
計量キャップ１３では、第２キャップ本体１４０を第１キャップ本体１３０に対して上方向に摺動させることによって、第１周壁部１３２の内周部のうち第２周壁部１４１の外周部に覆われていない部分及び第１筒状部１３３の外周部のうち第２筒状部１４２の内周部に覆われていない部分を増大させることができる。
【００６１】
例えば、図３及び図４に示すように、係合凸部１４１ａが最も下側の係合凹部１３２ａと嵌合している場合、第１周壁部１３２の内周部及び第１筒状部１３３の外周部は、第２周壁部１４１の外周部及び第２筒状部１４２の内周部によりそれぞれ全域に亘って覆われている。一方、図５に示すように、係合凸部１４１ａが最も上側の係合凹部１３２ａと嵌合している場合、第１周壁部１３２の内周部の一部及び第１筒状部１３３の外周部の一部が第２周壁部１４１の外周部及び第２筒状部１４２の内周部に覆われていない状態となっている。このように、第２キャップ本体１４０を第１キャップ本体１３０に対して上方向に摺動させることによって、計量空間５を画成する部分を拡大することができるので、計量空間５の容積を増大させて計量値を増大させることができる。
【００６２】
なお、第２キャップ本体１４０を第１キャップ本体１３０に対して下方向に摺動させることによって、第１周壁部１３２の内周部のうち第２周壁部１４１の外周部に覆われていない部分及び第１筒状部１３３の外周部のうち第２筒状部１４２の内周部に覆われていない部分を減少させることができる。それにより、計量空間５を画成する部分を縮小することができるので、計量空間５の容積を減少させて計量値を減少させることができる。
【００６３】
また、係合凸部１４１ａを上下方向の中央側の係合凹部１３２ａと嵌合させることによって、計量空間５の容積を図３及び図４に示す場合と図５に示す場合の間の容積に変更することができる。なお、第２周壁部１４１の内周部又は外周部には、上述したように、計量用の指示線及び目盛り線が表示されてもよく、より詳細には、各係合凹部１３２ａに対応する指示線及び目盛り線がそれぞれ表示されていてもよい。その場合、係合凸部１４１ａが最も下側の係合凹部１３２ａと嵌合している状態（つまり、図３及び図４に示した状態）と、係合凸部１４１ａが上下方向の中央側の係合凹部１３２ａと嵌合している状態（つまり、図３及び図４に示した状態と図５に示した状態との間の状態）と、係合凸部１４１ａが最も上側の係合凹部１３２ａと嵌合している状態（つまり、図５に示した状態）との間で、計量に用いる指示線及び目盛り線を使い分けることで、各状態において適切に液体８を計量することができる。なお、各係合凹部１３２ａに対応する指示線及び目盛り線を識別する方法としては、各係合凹部１３２ａの間で指示線及び目盛り線の色を異ならせることや指示線及び目盛り線に互いに異なる印を付すこと等が挙げられる。
【００６４】
上記のように、計量キャップ１３では、第２周壁部１４１が第１周壁部１３２に対して摺動可能となっており、第２筒状部１４２が第１筒状部１３３に対して第２周壁部１４１と連動して摺動可能となっている。また、計量空間５は、底壁部１３１と、第１周壁部１３２及び第２周壁部１４１の少なくとも一方と、第１筒状部１３３及び第２筒状部１４２の少なくとも一方とによって画成される。ゆえに、第２キャップ本体１４０を第１キャップ本体１３０に対して上下方向に摺動させることによって、計量空間５の容積を変更して計量値を変更することができる。よって、変更可能な計量値の上限値を大きくすることに伴い計量キャップ全体が大型化することを抑制することができる。したがって、計量キャップ１３によれば、計量キャップ１３が大型化することを抑制しつつ、液体８の計量値を変更可能にすることができる。
【００６５】
また、上記のように、計量キャップ１３では、第２周壁部１４１が第１周壁部１３２の内周部に嵌合されていることが好ましい。それにより、液体８の計量時に、計量空間５に貯留されている液体８又は吐出口１４２ａから計量空間５に向けて吐出される液体８が第２周壁部１４１と第１周壁部１３２との間の隙間を下方に流れて計量キャップ１３から漏出することを抑制することができる。
【００６６】
また、上記のように、計量キャップ１３では、第２筒状部１４２が第１筒状部１３３の外周部に嵌合されていることが好ましい。それにより、第１筒状部１３３の内部の流路面積が第２筒状部１４２によって縮小されることを抑制することができるので、スクイズ時に必要な押圧力が過度に大きくなることを抑制することができる。
【００６７】
また、上記のように、計量キャップ１３では、第２周壁部１４１の第１周壁部１３２に対する摺動を制限する係合凸部１４１ａ及び係合凹部１３２ａが設けられていることが好ましい。それにより、第２キャップ本体１４０の第１キャップ本体１３０に対する上下方向の相対位置を適切に位置決めすることができる。ゆえに、第２キャップ本体１４０の第１キャップ本体１３０に対する上下方向の相対位置を適切に変更することができる。したがって、計量キャップ１３における液体８の計量値を適切に変更することができる。
【００６８】
以上、添付図面を参照しながら本発明の好適な実施形態について詳細に説明したが、本発明は係る例に限定されない。本発明の属する技術の分野における通常の知識を有する者であれば、特許請求の範囲に記載された技術的思想の範疇内において、各種の変更例又は応用例に想到し得ることは明らかであり、これらについても、当然に本発明の技術的範囲に属するものと了解される。
【００６９】
例えば、上記では、計量キャップ１３にヒンジを介して天壁部材１６０と接続されている蓋体１５０が設けられる例を説明したが、計量キャップ１３の構成から蓋体１５０が省略されてもよく、蓋体１５０と異なる蓋体が計量キャップ１３に設けられていてもよい。例えば、天壁部材１６０と別体の蓋体が計量キャップ１３に設けられていてもよく、そのような蓋体は、例えば、天壁部材１６０に螺合又は嵌合等によって取り付けられる。
【００７０】
また、例えば、上記では、第１キャップ本体１３０が単一の部材によって形成されている例を説明したが、第１キャップ本体１３０は複数の部材によって構成されてもよい。また、上記では、第２キャップ本体１４０が単一の部材によって形成されている例を説明したが、第２キャップ本体１４０は複数の部材によって構成されてもよい。また、天壁部材１６０における注出口部１６１及び当該注出口部１６１以外の部分が単一の部材によって形成されていてもよく、互いに異なる部材によって構成されてもよい。
【００７１】
また、例えば、上記では、第２周壁部１４１が第１周壁部１３２の内周部に嵌合されている例を説明したが、第２周壁部１４１は第１周壁部１３２の外周部に嵌合されていてもよい。また、上記では、第２筒状部１４２が第１筒状部１３３の外周部に嵌合に嵌合されている例を説明したが、第２筒状部１４２は第１筒状部１３３の内周部に嵌合されていてもよい。
【００７２】
また、例えば、上記では、第１周壁部１３２に係合凹部１３２ａが設けられ第２周壁部１４１に係合凸部１４１ａが設けられる例を説明したが、第１周壁部１３２に第２周壁部１４１側に向けて係合凸部が設けられ、第２周壁部１４１に当該係合凸部と係合する係合凹部が設けられてもよい。このように、係合凸部は第１周壁部１３２及び第２周壁部１４１の一方に他方側に向けて設けられ、係合凸部と係合する係合凹部は第１周壁部１３２及び第２周壁部１４１の他方に設けられる。
【００７３】
また、例えば、上記では、係合凸部１４１ａ及び係合凹部１３２ａを用いて第２キャップ本体１４０の第１キャップ本体１３０に対する上下方向の相対位置を位置決めする例を説明したが、他の方法によって第２キャップ本体１４０の第１キャップ本体１３０に対する上下方向の相対位置の位置決めが実現されてもよい。例えば、第１キャップ本体１３０の第１周壁部１３２の内周部又は第２キャップ本体１４０の第２周壁部１４１の外周部にＯリングを設けることにより、第２キャップ本体１４０の第１キャップ本体１３０に対する上下方向の相対位置を任意の位置で位置決めすることができる。なお、その場合、計量空間５の容積は、第２キャップ本体１４０の第１キャップ本体１３０に対する上下方向の相対位置に応じて連続的に変化するが、例えば、第１キャップ本体１３０及び第２キャップ本体１４０の一方の周壁部に目盛を表示することによって、ユーザは当該目盛と他方の周壁部との相対位置関係に基づいて計量空間５の容積を認識することができる。
【００７４】
また、例えば、上記では、図１を参照して係合凹部１３２ａの数が３つである例を説明したが、係合凹部１３２ａの数は特に限定されない。また、例えば、上記では、係合凹部１３２ａの数が複数であり、係合凸部１４１ａの数が単数である例を説明したが、係合凸部１４１ａの数が複数であり、係合凹部１３２ａの数が単数であってもよい。また、係合凹部１３２ａの数及び係合凸部１４１ａの数の双方が複数であってもよい。
【００７５】
また、例えば、上記では、図面を参照して計量キャップ１３の具体的な形状を説明したが、本発明に係る計量キャップの各部分の形状は、図面を参照して説明した例に特に限定されない。例えば、第１周壁部１３２の形状は、略円筒形状以外の形状であってもよく、具体的には、第１周壁部１３２の横断面形状は、多角形又は楕円等であってもよい。
【００７６】
また、例えば、上記で図面を参照して説明した計量キャップ１３の構成からは、一部の構成要素が省略されてもよい。例えば、天壁部材１６０は、計量キャップ１３の構成から省略されてもよい。その場合、第２キャップ本体１４０の第２周壁部１４１の上端部により形成される開口が液体８の注出口に相当し得る。
【符号の説明】
【００７７】
１  容器
５  計量空間
８  液体
９  浸漬管
１１  容器本体
１３  計量キャップ
１１０  口部
１３０  第１キャップ本体
１３１  底壁部
１３２  第１周壁部
１３２ａ  係合凹部
１３３  第１筒状部
１３４  浸漬管用筒状部
１３５  取付部
１４０  第２キャップ本体
１４１  第２周壁部
１４１ａ  係合凸部
１４２  第２筒状部
１４２ａ  吐出口
１４２ｂ  天板部
１５０  蓋体
１５１  第１嵌合部
１５２  第２嵌合部
１５３  突出部
１６０  天壁部材
１６１  注出口部
１６１ａ  注出口
【図１】
2020029285.tif 000003
【図２】
2020029285.tif 000004
【図３】
2020029285.tif 000005
【図４】
2020029285.tif 000006
【図５】
2020029285.tif 000007